(57)【要約】【課題】隙間カバーの取付け及び取り外しが必要な場合にはその作業を容易に行うことができる足場用踏み板及び隙間カバーを提供する。【解決手段】足場用踏み板に取付けられた隙間カバー４０は、踏み板２０の端部の突条３４に対して着脱自在に嵌合する凹条４３を有した対向壁４２と、対向壁４２と一体に連結されて、凹条４３が突条３４に嵌合している状態で、相互に対向する足場用踏み板間の隙間を覆う上壁４４を有する。また、隙間カバー４０は、対向壁４２に設けられ、凹条４３と突条３４との嵌合を保持する保持操作位置と、凹条４３と突条３４との嵌合の解除を許容する嵌合解除許容位置間とを選択的に操作可能に設けられている操作軸４５、コイルバネ４８、及び係止軸４７とを有する。【選択図】図６
2018204331.tif 000002
【特許請求の範囲】
【請求項１】
長手方向に延出された布板部と、前記布板部における各端部の幅方向の両端側には、足場の横枠材に掛け止めする一対のフック部とを有し、前記端部の端面には、被嵌合部が設けられるとともに該被嵌合部に隙間カバーが取付けられた足場用踏み板であって、
隙間カバーは、
前記被嵌合部に対して着脱自在に嵌合する嵌合部を有した壁部と、
前記壁部と一体に連結されて、前記嵌合部が前記被嵌合部に嵌合している状態で、相互に対向する足場用踏み板間の隙間を覆う上壁と、
前記壁部に設けられ、前記嵌合部と前記被嵌合部との嵌合を保持する保持操作位置と、前記嵌合部と前記被嵌合部との嵌合の解除を許容する嵌合解除許容位置間とを選択的に操作可能に設けられた操作部とを有する足場用踏み板。
【請求項２】
前記操作部は、前記端部に設けられた貫通孔に対して進退、かつ自身の周りで少なくとも保持操作位置と嵌合解除許容位置のそれぞれの回転位置へ回転自在に挿通された操作部材を含み、
前記操作部材には径方向に突出した係止突部が設けられ、
前記操作部材が前記保持操作位置に位置するときは、前記端部の貫通孔の周縁に係止可能とされ、前記操作部材が前記嵌合解除許容位置に位置するときは前記貫通孔に抜け出し可能とされている請求項１に記載の足場用踏み板。
【請求項３】
前記操作部は、前記操作部材を前記貫通孔から抜き出し方向に付勢するとともに、前記操作部材の回転位置が保持操作位置に位置するときはその保持操作位置を保持する付勢部材を備えている請求項２に記載の足場用踏み板。
【請求項４】
足場用踏み板の端部に設けられた被嵌合部に取付けられる隙間カバーであって、
前記被嵌合部に対して着脱自在に嵌合する嵌合部を有した壁部と、
前記壁部と一体に連結されて、前記嵌合部が前記被嵌合部に嵌合している状態で、相互に対向する足場用踏み板間の隙間を覆う上壁と、
前記壁部に設けられ、前記嵌合部と前記被嵌合部との嵌合を保持する保持操作位置と、前記嵌合部と前記被嵌合部との嵌合の解除を許容する嵌合解除許容位置間とを選択的に操作可能に設けられた操作部とを有する隙間カバー。
【請求項５】
前記操作部は、前記端部に設けられた貫通孔に対して進退、かつ自身の周りで少なくとも保持操作位置と嵌合解除許容位置のそれぞれの回転位置へ回転自在に挿通された操作部材を含み、
前記操作部材には径方向に突出した係止突部が設けられ、
前記操作部材が前記保持操作位置に位置するときは、前記端部の貫通孔の周縁に係止可能とされ、前記操作部材が前記嵌合解除許容位置に位置するときは前記貫通孔に抜け出し可能とされている請求項４に記載の隙間カバー。
【請求項６】
前記操作部は、前記操作部材を前記貫通孔から抜き出し方向に付勢するとともに、前記操作部材の回転位置が保持操作位置に位置するときはその保持操作位置を保持する付勢部材を備えている請求項５に記載の隙間カバー。
【発明の詳細な説明】
【技術分野】
【０００１】
本発明は、足場用踏み板及び隙間カバーに関する。
【背景技術】
【０００２】
従来から、建築現場、或いは既存の建築物の補修時に足場が構築されている。足場は、例えば、縦パイプと横パイプとにより格子状に組まれ、各階に配置される横パイプ間には、踏み板が架設されている。同じ階の踏み板は、該踏み板の長手方向に互いに隣接するようにして前記横バイブに対して架橋されている。また、踏み板の長手方向に互いに隣接するように配置された踏み板の間には、隙間が形成される。
【０００３】
従来は、この隙間を埋めるために、特許文献１〜特許文献５に記載の隙間カバーが提案されている。
特許文献１、特許文献２及び特許文献３で提案されている隙間カバーは、互いに隣接する踏み板に対して、その長手方向の相対する端部の上面に係止されるカバー本体と、該カバー本体の下面に設けられて隙間に位置する横パイプに対して係止する係止手段とを有している。また、係止手段には、横パイプから簡単に離脱しないようにするための機能、或いはロック手段が設けられている。特許文献１及び特許文献３では、ロック手段としてのロック部材が設けられており、ロック部材がロック位置に位置すると、前記係止手段は横パイプから離脱できないようにロックされ、前記ロック部材が非ロック位置に位置すると、係止手段が横パイプから離脱できるようされている。特許文献２では、係止手段は、横パイプに対して弾性的に挟着する一対の挟着部材により構成されていて、挟着部材の弾性力により、横パイプから容易に離脱できないようにされている。
【０００４】
特許文献４及び特許文献５では、前記長手方向において、互いに隣接する踏み板の相対する端部に隙間カバーが固定されている。特許文献４では、隙間カバーが、踏み板の端面にリベット等により固定されている。特許文献５では、前記隙間カバーには、踏み板の端部に嵌合する取付部が設けられており、該取付部は、前記隙間カバーの取付部が嵌合された状態で、踏み板の端部上面に対してボルト着されている。
【０００５】
ところで、特許文献１〜特許文献３では、足場を構築する場合、踏み板を横パイプ間に架設した後、足場上で隙間カバーを取付ける作業が必須であるとともに、足場を解体する場合は、足場上で隙間カバーを取り除く作業が必須であって、足場上で作業に手間が掛かる問題がある。一方、特許文献４及び特許文献５では、特許文献１〜特許文献３とは異なり、予め、隙間カバーが踏み板に固定されているため、上記の問題は生じない。
【先行技術文献】
【特許文献】
【０００６】
【特許文献１】特開２０１１−１２４２４号公報
【特許文献２】特開２００２−３７１７０６号公報
【特許文献３】実用新案登録番号第３０２５２０２号
【特許文献４】特開２０１０−１５９５７３号公報
【特許文献５】特開平１１−１６６３１６号公報
【発明の概要】
【発明が解決しようとする課題】
【０００７】
しかし、特許文献４及び特許文献５の隙間カバーは、踏み板の端部に固定されているため、隙間カバーを取り外す必要がある場合は、簡単に取り外すことができない問題がある。そのため、隙間カバーが付いていない踏み板を準備しなければならない。
【０００８】
本発明の目的は、隙間カバーの取付け及び取り外しが必要な場合にはその作業を容易に行うことができる足場用踏み板及び隙間カバーを提供することにある。
【課題を解決するための手段】
【０００９】
上記問題点を解決するために、本発明の足場用踏み板は、長手方向に延出された布板部と、前記布板部における各端部の幅方向の両端側には、足場の横枠材に掛け止めする一対のフックとを有し、前記端部の端面には、被嵌合部が設けられるとともに該被嵌合部に隙間カバーが取付けられた足場用踏み板であって、前記隙間カバーは、前記被嵌合部に対して着脱自在に嵌合する嵌合部を有した壁部と、前記壁部と一体に連結されて、前記嵌合部が前記被嵌合部に嵌合している状態で、相互に対向する足場用踏み板間の隙間を覆う上壁と、前記壁部に設けられ、前記嵌合部と前記被嵌合部との嵌合を保持する保持操作位置と、前記嵌合部と前記被嵌合部との嵌合の解除を許容する嵌合解除許容位置間とを選択的に操作可能に設けられた操作部とを有するものである。
【００１０】
また、前記足場用踏み板では、前記操作部は、前記端部に設けられた貫通孔に対して進退、かつ自身の周りで少なくとも保持操作位置と嵌合解除許容位置のそれぞれの回転位置へ回転自在に挿通された操作部材を含み、前記操作部材には径方向に突出した係止突部が設けられ、前記操作部材が前記保持操作位置に位置するときは、前記端部の貫通孔の周縁に係止可能とされ、前記操作部材が前記嵌合解除許容位置に位置するときは前記貫通孔に抜け出し可能とされていることが好ましい。
【００１１】
また、前記操作部は、前記操作部材を前記貫通孔から抜き出し方向に付勢するとともに、前記操作部材の回転位置が保持操作位置に位置するときはその保持操作位置を保持する付勢部材を備えていることが好ましい。
【００１２】
また、本発明の隙間カバーは、足場用踏み板の端部に設けられた被嵌合部に取付けられる隙間カバーであって、前記被嵌合部に対して着脱自在に嵌合する嵌合部を有した壁部と、前記壁部と一体に連結されて、前記嵌合部が前記被嵌合部に嵌合している状態で、前記足場用踏み板の上面と面一となって、相互に対向する足場用踏み板間の隙間を覆う上壁と、前記壁部に設けられ、前記嵌合部と前記被嵌合部との嵌合を保持する保持操作位置と、前記嵌合部と前記被嵌合部との嵌合の解除を許容する嵌合解除許容位置間とを選択的に操作可能に設けられた操作部とを有するものである。
【００１３】
また、本発明の隙間カバーは、前記操作部が、前記端部に設けられた貫通孔に対して進退、かつ自身の周りで少なくとも保持操作位置と嵌合解除許容位置のそれぞれの回転位置へ回転自在に挿通された操作部材を含み、前記操作部材には径方向に突出した係止突部が設けられ、前記操作部材が前記保持操作位置に位置するときは、前記端部の貫通孔の周縁に係止可能とされ、前記操作部材が前記嵌合解除許容位置に位置するときは前記貫通孔に抜け出し可能とされていることが好ましい。
【００１４】
また、本発明の隙間カバーは、前記操作部材を前記貫通孔から抜き出し方向に付勢するとともに、前記操作部材の回転位置が保持操作位置に位置するときはその保持操作位置を保持する付勢部材を備えていることが好ましい。
【発明の効果】
【００１５】
本発明によれば、隙間カバーの取付け及び取り外しが必要な場合にはその作業を容易に行うことができる効果を奏する。
【図面の簡単な説明】
【００１６】
【図１】（ａ）は、踏み板の配置状態を示す斜視図、（ｂ）は踏み板の配置状態を示す部分拡大図。
【図２】足場に踏み板を掛けた状態の斜視図。
【図３】（ａ）は、踏み板間の隙間を覆っている状態の平面図、（ｂ）は、同じく側面図。
【図４】隙間カバーを取外した状態の踏み板の端部の拡大平面図。
【図５】（ａ）は、踏み板の端部の斜め下方から見た斜視図、（ｂ）は、同じく拡大斜視図。
【図６】踏み板間の隙間を覆っている状態の側断面図。
【図７】踏み板と隙間カバーの分解斜視図。
【図８】ロック部の斜視図。
【図９】貫通孔の形状の説明図。
【発明を実施するための形態】
【００１７】
図１〜図９を参照して、以下、本発明を具体化した一実施形態の足場用踏み板及び隙間カバーを説明する。
図２に示すように、足場１０は、図示しない建物の壁面に沿って並設された複数の枠体１３と、相互に隣接する枠体１３間に架設された足場用踏み板２０を有している。以下、足場用踏み板を単に踏み板という。枠体１３は、支柱となる縦パイプ１１と縦パイプ１１間に架設された横枠材としての横パイプ１２とからなる。
【００１８】
図１に示すように、踏み板２０は、長手方向に延出された布板部２１と、前記布板部２１の長手方向の両端部に設けられた一対のフック部材２２Ａ、２２Ｂを１組とする２組のフック部２２を有している。各組のフック部２２は、各端部において、長手方向と直交する幅方向の両縁部側に設けられており、枠体１３の横パイプ１２に掛けられている。
【００１９】
踏み板２０の各組のフック部２２は、踏み板２０の４隅を結ぶ一方の対角線位置に配置された金属製のフック部材２２Ａと、他方の対角線位置に配置された金属製のフック部材２２Ｂとにて構成されている。
【００２０】
図３及び図４に示すように、フック部材２２Ａは踏み板２０の幅方向外側へ屈曲形成されている。また、フック部材２２Ｂは踏み板２０の幅方向内側へ屈曲形成されている。このように、フック部材２２Ａ、２２Ｂが屈曲形成されていることにより、相互に隣接する踏み板２０同士をフック部材２２Ａ、２２Ｂにて共通の横パイプ１２に掛けたときに、相互に対向する踏み板２０の端部におけるフック部材２２Ａ間に、各フック部材２２Ｂが挿入配置される。
【００２１】
図１（ａ）、図１（ｂ）に示すように布板部２１は、踏み板２０の幅方向に並設された一対の床板２５、２６を有している。床板２５、２６は長方形をなす鋼板等の金属製であって、四角板状の上側壁２５ｃ、２６ｃと、上側壁２５ｃ、２６ｃの幅方向に位置する一対の側部２５ａ、２５ｂ、２６ａ、２６ｂを有している。側部２５ａ、２５ｂ、２６ａ、２６ｂは、上側壁２５ｃ、２６ｃから下方へチャンネル状にそれぞれ折曲げ形成されている。図１（ａ）、図１（ｂ）に示すように上側壁２５ｃ、２６ｃは、上下方向に貫通した多数の透孔２５ｄ、２６ｄと、長手方向に延びるとともに相互に平行となる複数の溝２５ｅ、２６ｅを有している。
【００２２】
床板２５、２６同士は、側部２５ａ、２６ｂの下部間に渡されて長手方向に所定間隔を置いて配置された複数の連結部材（図示しない）が、側部２５ａ、２５ｂ、２６ａ、２６ｂに対して溶接固定されていることにより、相互に一体となっている。また、踏み板２０の長手方向の一方（図３（ａ）では右方)の端部の内面（すなわち、床板２５の側部２５ａの一方の端部内面及び床板２６の側部２６ｂの一方の端部内面）に対して、フック部材２２Ａ、２２Ｂがボルト等により一体に締付固定されている。また、踏み板２０の長手方向の他方（図３（ａ）では左方)の端部の内面（すなわち、床板２５の側部２５ａの他方の端部内面及び床板２６の側部２６ｂの他方の端部内面）に対して、フック部材２２Ａ、２２Ｂがボルト等により一体に固定されている。フック部材２２Ａ、２２Ｂは、下方へ開口する掛止凹部を有していて、その側面には、それぞれロック部材２７Ａ、２７Ｂがロック位置及びロック解除位置に移動可能に配置されている。
【００２３】
図３（ｂ）に示すように、ロック部材２７Ａ、２７Ｂは、フック部材２２Ａ、２２Ｂが掛止凹部にて横パイプ１２に掛けられた状態で、その掛止凹部の開口を横パイプ１２の直径よりも狭くするロック位置に位置することにより、横パイプ１２からのフック部材２２Ａ、２２Ｂの離脱を防止するようにしている。また、作業者が手動でロック位置からロック部材２７Ａ、２７Ｂをロック解除位置まで上方へ移動させて、掛止凹部の開口を横パイプ１２の直径よりも広くなるようにその掛止凹部の下部を開放すると、横パイプ１２からのフック部材２２Ａ、２２Ｂの離脱が可能となっている。
【００２４】
図４〜図７に示すように、踏み板２０（すなわち、床板２５、２６）の長手方向の両端部には、端部部材３０が溶接、或いはリベット等による固定手段により固定されている。端部部材３０は、横断面が略チャンネル状に形成されていて、布板部２１の上側壁２５ｃ、２６ｃの端部の上面に接合した上部壁３１と、床板２５、２６の側部２５ａ、２５ｂ、２６ａ、２６ｂの下面に接合した下部壁３２と、上部壁３１と下部壁３２間を連結する連結壁３３とにより構成されている。前記上部壁３１及び下部壁３２とが、前記固定手段により２０に固定されている。上部壁３１の上面は、踏み板２０の上面に相当する。連結壁３３には、幅方向に延出した断面チャンネル状の突条３４が長手方向の外方、すなわち、端部同士が対向する隣接した他の踏み板２０側へ突出形成されている。
【００２５】
図４に示すように、突条３４は、フック部２２を構成しているフック部材２２Ａ、２２Ｂの間に配置されるようにその幅方向の長さが設定されている。突条３４は、被嵌合部に相当する。図７に示すように突条３４には、隣接した他の踏み板２０の端部に対向する対向壁３５を備えている。
【００２６】
図９に示すように、前記対向壁３５には、貫通孔３６が形成されている。貫通孔３６は本実施形態では、所定方向へ延出した長孔とされている。なお、本実施形態における所定方向は踏み板２０の幅方向としているが、限定するものではなく、他の方向であってもよい。貫通孔３６において、その幅方向の中央部の上下両部には、後述する操作軸４５を挿入可能な大きさの凹部３６ａ、３６ｂが形成されている。また、貫通孔３６は、後述する操作軸４５に固定された係止軸４７の回転位置、すなわち、係止軸４７の延出方向を貫通孔３６の延出した方向と一致させたときに該係止軸４７を挿入離脱可能としている。
【００２７】
図５（ａ）及び図５（ｂ）に示すように、端部部材３０の内面には、係合部材５０が突条３４の裏側の溝を上下方向に跨ぐように配置されて溶接等により固定されている。係合部材５０は、端部部材３０の内面に固定された底壁５２と、底壁５２の上下両端から長手方向の内方へ立設された上部側壁５４及び下部側壁５６とにより断面チャンネル状に形成されている。底壁５２には、貫通孔３６及び凹部３６ａ、３６ｂと対向するとともに貫通孔３６及び凹部３６ａ、３６ｂと同一形状及び同一の大きさの貫通孔５３、及び凹部５３ａ、５３ｂが形成されている。図５（ｂ）に示すように、上部側壁５４及び下部側壁５６には、後述する操作軸４５の係止軸４７が、貫通孔３６及び貫通孔５３に対してともに挿入されたときの回転位置から、９０度回転された回転位置に位置する際に、係止軸４７の両端が係入可能に形成された係止凹部５４ａ、５６ａが形成されている。操作軸４５が、上記のように貫通孔３６、５３に挿通可能な回転位置から９０度回転されて外れた位置である回転位置は、保持操作位置に相当する。また、操作軸４５の係止軸４７が、貫通孔３６及び貫通孔５３に対してともに挿入可能な位置は、嵌合解除許容位置に相当する。
【００２８】
図１〜図３（ａ）、図６に示すように、端部部材３０の連結壁３３には、隙間カバー４０が着脱自在に取付けられている。隙間カバー４０は、端部部材３０に取付けしたときに端部部材３０に全体が対向して接する対向壁４２と、対向壁４２の上端に連結された上壁４４とを有している。対向壁４２は壁部に相当する。上壁４４は、端部部材３０に取付けしたときには、踏み板２０の上面（本実施形態では、端部部材３０の上部壁３１の上面）と面一となるようにその高さが形成されている。
【００２９】
上壁４４における幅の長さ（すなわち、踏み板２０の長手方向における上壁４４の長さ）は、前記長手方向に並んで配置される一対の踏み板２０が、共通の横パイプ１２に掛け止めされた際、両踏み板２０間の対向する端部間に形成される隙間の前記長手方向の長さの１／２よりも若干短くされている。
【００３０】
これにより、図２に示すように、長手方向に並んで配置される一対の踏み板２０が共通の横パイプ１２に掛け止めされた際、両踏み板２０間の対向する端部間に形成される隙間を、両踏み板２０に取付けられた隙間カバー４０の上壁４４により覆われるようにされている。対向壁４２には、端部部材３０の突条３４の幅方向の長さと略同じ長さを幅方向に有するとともに、該突条３４に外嵌するチャンネル状の凹条４３が形成されている。凹条４３は、嵌合部に相当する。
【００３１】
図６、図７及び図８に示すように、凹条４３において、突条３４の対向壁３５と対向する底壁４３ａには、取付けられた端部部材３０に向かって操作部材としての操作軸４５が進退自在に挿入されている。操作軸４５の対向壁４２に対する取付け位置は、隙間カバー４０の凹条４３が、端部部材３０の突条３４に嵌合された際に、操作軸４５が、貫通孔３６の凹部３６ａ、３６ｂに挿入可能な位置としている。
【００３２】
操作軸４５は、断面円形を有するとともに基端には軸から膨出された頭部４６を有している。操作軸４５の断面形状は、円形に限定するものではなく、他の形状であってもよい。また、操作軸４５において、底壁４３ａを貫通した先端には、係止軸４７が径方向に貫通固定されてその両端が突出されている。係止軸４７において、操作軸４５から突出した部分は、係止突部に相当する。
【００３３】
図６及び図８に示すように操作軸４５において、頭部４６と底壁４３ａ間には、付勢部材としてのコイルバネ４８が巻装されるとともに、一対のバネ座金４９が挿入されている。コイルバネ４８により、該コイルバネ４８に巻装された操作軸４５を、隙間カバー４０が取付けられた踏み板２０とは端部同士が対向している他の踏み板２０側へ付勢するようにしている。
【００３４】
本実施形態では、操作軸４５、コイルバネ４８、及び係止軸４７により操作部が構成されている。
（実施形態の作用）
上記のように構成された足場用踏み板及び隙間カバーの作用を説明する。なお、隙間カバー４０が、踏み板２０に対して取外された状態から説明する。
【００３５】
また、説明の便宜上、踏み板２０の上面が水平状態になるように踏み板２０を配置しているものとする。従って、端部部材３０の貫通孔３６の延出方向は、仮想水平面に含まれている。
【００３６】
図７に示すように、作業者は、隙間カバー４０を、水平状態にして隙間カバー４０の対向壁４２を踏み板２０の端部部材３０の対向壁３５に相対させる。また、作業者は、係止軸４７が水平状態となるように操作軸４５を回転させておく。
【００３７】
この状態で、作業者は、隙間カバー４０の凹条４３を踏み板２０（すなわち、端部部材３０）の突条３４に嵌合させる。凹条４３と突条３４との嵌合時に操作軸４５は凹部３６ａ、３６ｂ内に挿入されるとともに、係止軸４７は貫通孔３６内に挿入される。
【００３８】
次に、作業者は、コイルバネ４８の付勢力に抗して操作軸４５の頭部４６を踏み板２０（端部部材３０）側へ押圧して、係合部材５０の凹部５３ａ、５３ｂと貫通孔５３に対して操作軸４５の先端及び係止軸４７を貫通させる。
【００３９】
次に、作業者は頭部４６を操作して、操作軸４５を９０度回転させて、係止軸４７を図５に示す係止凹部５４ａ、５６ａに相対させる。
この後、作業者は操作軸４５に対する押圧を解除すると、コイルバネ４８の付勢力より、係止軸４７が係止凹部５４ａ、５６ａ内に係入される。このようにして、係止軸４７が、貫通孔５３の周縁部である係止凹部５４ａ、５６ａに係入した状態となることにより、隙間カバー４０の端部部材３０に対する取付け状態が保持される。
【００４０】
上記のようにして、踏み板２０の長手方向の一方の端部に隙間カバー４０の取付けた後、他方の端部に対しても同様にして隙間カバー４０を取付ける。
図２に示すように、このようにして長手方向の両端部に隙間カバー４０を取付けた複数の踏み板２０を、足場１０の横パイプ１２に対し、フック部２２のフック部材２２Ａ、２２Ｂを掛けた後、ロック部材２７Ａ、２７Ｂをロック解除位置からロック位置へ移動させてロックする。
【００４１】
図２に示すように、長手方向に並んで配置される一対の踏み板２０が、共通の横パイプ１２に掛け止めされると、図６に示すように、それぞれの隙間カバー４０が、該一対の踏み板２０の端部間に形成された間隙を上方から覆うことになる。本実施形態では、隙間カバー４０は、踏み板２０の上面である端部部材３０の上部壁３１と面一にしているため、作業者が、踏み板２０及び隙間カバー４０上を歩く場合、足が隙間カバー４０に引っかかる等の支障を来たすことがない。
【００４２】
なお、踏み板２０から隙間カバー４０を取外す場合、踏み板２０に対して隙間カバー４０を取付ける場合の作業とは逆に行えばよい。
なお、踏み板２０の配置場所によっては、踏み板２０に隙間カバー４０を必要としない場合があり、この場合は、予め踏み板２０から隙間カバー４０を取り除いておけばよい。また、本実施形態の踏み板２０は、足場１０を構築する前の段階で、隙間カバー４０を踏み板２０に予め取付けることができる。このため、踏み板２０を横パイプ１２に掛け止めした後、隙間カバー４０を取付ける作業は必要としない。このため、足場上での作業を簡便化できる。
【００４３】
本実施形態では、下記の特徴を有する。
（１）本実施形態の足場用踏み板は、長手方向に延出された布板部２１と、布板部２１における各端部の幅方向の両端側には、足場１０の横パイプ１２（横枠材）に掛け止めする一対のフック部２２とを有し、端部の端面には、突条３４（被嵌合部）が設けられるとともに突条３４（被嵌合部）に隙間カバー４０が取付けられている。隙間カバー４０は、突条３４（被嵌合部）に対して着脱自在に嵌合する凹条４３（嵌合部）を有した対向壁４２（壁部）と、対向壁４２と一体に連結されて、凹条４３（嵌合部）が突条３４（被嵌合部）に嵌合している状態で、相互に対向する足場用踏み板間の隙間を覆う上壁４４を有している。また、隙間カバー４０は、対向壁４２（壁部）に設けられ、凹条４３（嵌合部）と突条３４（被嵌合部）との嵌合を保持する保持操作位置と、凹条４３（嵌合部）と突条３４（被嵌合部）との嵌合の解除を許容する嵌合解除許容位置間とを選択的に操作可能に設けられている操作軸４５、コイルバネ４８、及び係止軸４７（操作部）とを有する。
【００４４】
この結果、本実施形態では、隙間カバーの取付け及び取り外しが必要な場合にその作業を容易に行うことができる。また、足場１０を構築する前の段階で、隙間カバー４０を踏み板２０に予め取付けることができるため、踏み板を横枠材に掛け止めした後、隙間カバーを取付ける作業は必要としない効果がある。すなわち、足場の構築及び解体時に足場上で隙間カバーを取付け及び取外す作業が必要でなくなる。
【００４５】
（２）本実施形態の足場用踏み板では、隙間カバー４０の操作部は、踏み板２０の端部に設けられた貫通孔３６、５３に対して進退、かつ自身の周りで回転自在に挿通された操作軸４５（操作部材）を含む。操作軸４５（操作部材）には径方向に両端が突出する係止軸４７（係止突部）を有し、操作軸４５（操作部材）の回転位置が保持操作位置に位置するときは、踏み板２０の貫通孔３６、５３の周縁に係止可能とされている。また、操作軸４５（操作部材）の回転位置が嵌合解除許容位置に位置するときは係止軸４７（係止突部）が踏み板２０の端部の貫通孔３６、５３に抜け出し可能とされている。
【００４６】
この結果、本実施形態によれば、操作部を保持操作位置及び嵌合解除許容位置へ選択的に操作することにより、隙間カバー４０を踏み板２０に対する取付け、取り外しを容易に行うことができる。
【００４７】
（３）本実施形態では、操作部は、操作軸４５（操作部材）を貫通孔３６、５３から抜き出し方向に付勢するとともに、前記操作部材の回転位置が保持操作位置に位置するときはその保持操作位置を保持するコイルバネ４８（付勢部材）を備えている。
【００４８】
この結果、操作部材を保持操作位置に位置している状態では、付勢部材の付勢力により操作部材の保持操作位置を保持できる効果がある。
なお、本発明の実施形態は前記実施形態に限定されるものではなく、下記のように変更しても良い。
【００４９】
・前記実施形態では、踏み板２０は、床板２５及び床板２６を含むようにしたが、一つの床板で構成してもよい。
・前記実施形態では、端部部材３０に突条３４が設けられ、隙間カバー４０の対向壁４２に凹条４３が設けられていたが、端部部材３０に凹条が設けられ、隙間カバー４０の対向壁４２に該凹条に内嵌する突条が設けられていてもよい。
【００５０】
・前記実施形態において、係合部材５０の係止凹部５４ａ、５６ａを省略してもよい。
・また、係合部材５０を省略してもよい。この場合、係止軸４７は、操作軸４５の回転位置が、保持操作位置となったとき、貫通孔３６の周縁部である端部部材３０の内面に係止するものとなる。
【００５１】
・前記実施形態では、付勢部材をコイルバネとしたが、コイルバネに限定するものではなく、他の弾性部材、例えば、板バネ、捩りバネ等に変更してもよい。
・前記実施形態では、操作軸４５を凹条４３の底壁４３ａに取付けて、踏み板２０の長手方向に移動自在に操作可能としたが、操作軸４５を凹条４３の下部壁に取付けて、上下方向に操作可能としてもよい。
【００５２】
例えば、凹条４３の下部壁に対して、取付台を設けて、該取付台に対して操作軸４５を上下方向に移動かつ回転自在に支持し、凹条４３及び突条の下部壁、並びに凹条４３及び突条の上部壁に、それぞれ係止軸４７及び操作軸４５を挿入及び回転自在に貫通孔３６及び凹部３６ａ、３６ｂと同等の貫通孔及び凹部を設けてもよい。この場合、コイルバネは、取付台において、操作軸４５を常時、下方へ付勢するように配置する。
【００５３】
・前記実施形態では、操作軸４５が、上記のように貫通孔３６、５３に挿通可能な回転位置（嵌合解除許容位置）から外れた位置である９０度回転された回転位置を、保持操作位置としたが、この位置に限定するものではない。前記嵌合解除許容位置から０度（３６０度）及び９０度を除く、他の回転位置であってもよい。
【符号の説明】
【００５４】
１０…足場、１１…縦パイプ、１２…横パイプ（横枠材）、
１３…枠体、２０…足場用踏み板、２１…布板部、
２２…フック部、２２Ａ、２２Ｂ…フック部材、
２５…床板、２５ａ、２５ｂ…側部、２５ｃ…上側壁、
２５ｄ…透孔、２５ｅ…溝、
２６…床板、２６ａ、２６ｂ…側部、２６ｃ…上側壁、
２６ｄ…透孔、２６ｅ…溝、２７Ａ、２７Ｂ…ロック部材、
３０…端部部材、３１…上部壁、３２…下部壁、３３…連結壁、
３４…突条（被嵌合部）、３５…対向壁、３６…貫通孔、
３６ａ、３６ｂ…凹部、
４０…隙間カバー、４２…対向壁（壁部）、４３…凹条（嵌合部）、４３ａ…底壁、
４４…上壁、４５…操作軸（操作部材）、４６…頭部、４７…係止軸、
４８…コイルバネ（付勢部材）、４９…バネ座金、
５０…係合部材、５２…底壁、５３…貫通孔、５３ａ、５３ｂ…凹部、
５４…上部側壁、５４ａ…係止凹部、５６…下部側壁、５６ａ…係止凹部。
【図１】
2018204331.tif 000003
【図２】
2018204331.tif 000004
【図３】
2018204331.tif 000005
【図４】
2018204331.tif 000006
【図５】
2018204331.tif 000007
【図６】
2018204331.tif 000008
【図７】
2018204331.tif 000009
【図８】
2018204331.tif 000010
【図９】
2018204331.tif 000011